【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
高分子錯体を含む水性接着剤組成物であって、前記高分子錯体が
（Ａ）第１の成分であって、
（ｉ）以下の（ａ）、（ｂ）、（ｃ）から選ばれた骨格要素：
（ａ）ポリペプチド、オリゴペプチド、アミノ酸、ポリアミンまたはそれらの任意の２種以上の任意の組み合わせ、
（ｂ）多糖、オリゴ糖、単糖もしくはそれらの任意の２種以上の任意の組み合わせ；または多糖、オリゴ糖、単糖もしくはそれらの任意の２種以上の任意の組み合わせと第１のリンカー分子とを含む糖複合体；および
（ｃ）リグニン；リグナン；またはリグニンと第２のリンカー分子とを含むリグニン複合体；および
（ｉｉ）タンニン、タンニン酸、フラボノイド、ポリレゾルシノールまたはそれらの任意の２種以上の任意の組み合わせを含む、ポリフェノールを含む、第１の成分、ならびに
（Ｂ）ポリペプチド、オリゴペプチド、アミノ酸、ポリアミンまたはそれらの任意の２種以上の任意の組み合わせを含む、第２の成分
を含むものである、水性接着剤組成物。
【請求項２】
骨格要素とポリフェノールとの比率が、乾燥重量基準で約２０:１〜約１:１である、請求項１に記載の接着剤。
【請求項３】
骨格要素（ａ）とポリフェノールとの比率が、乾燥重量基準で約１５．５：１〜約２：１である、請求項１に記載の接着剤。
【請求項４】
骨格要素（ｂ）とポリフェノールとの比率が、乾燥重量基準で約３：１〜約７：１である、請求項１に記載の接着剤。
【請求項５】
骨格要素（ｃ）とポリフェノールとの比率が、乾燥重量基準で約７：１〜約２：１である、請求項１に記載の接着剤。
【請求項６】
ポリフェノールと第２の成分との比率が、乾燥重量基準で約１：１〜約１：８である、請求項１〜５のいずれか１項に記載の接着剤。
【請求項７】
前記第１のリンカー分子および第２のリンカー分子が、それぞれ、以下のものから独立して選ばれたものである、請求項１〜６のいずれか１項に記載の接着剤：
（ａ）ポリペプチド、オリゴペプチド、アミノ酸またはそれらの任意の２種以上の任意の組み合わせ、
（ｂ）無機ポリヒドロキシル化非金属化合物またはそのエステルもしくは塩、
（ｃ）アミン化合物またはその塩、
（ｄ）チオール化合物またはその塩、
（ｅ）金属イオン、
（ｆ）アルデヒド化合物；またはカルボン酸化合物もしくはその塩、エステル、酸無水物もしくはハロゲン化物；および
（ｇ）上記の任意の２種以上の任意の組み合わせ。
【請求項８】
前記第１のリンカー分子が、ポリヒドロキシル化ホウ素、リン、ケイ素またはイオウ化合物、もしくはそのエステルもしくは塩である；または
前記第２のリンカー分子が、天然アミノ酸、少なくとも２個の炭素原子を有する非天然アミノ酸、少なくとも２個の炭素原子を有するポリアミン、および少なくとも２個の炭素原子を有するヒドロキシアミン、またはそれらの塩から選ばれたアミン化合物である；または
前記第２のリンカー分子が、少なくとも２個の炭素原子；チオール基；および前記リグニン複合体中で共有結合または非共有結合を形成することができる少なくとも１個の追加の官能基；を含むチオール化合物である；または
前記第２のリンカー分子が、約１〜約１２個の炭素原子を含むアルデヒドである；または
前記第２のリンカー分子が、約１〜約１２個の炭素原子を含むアルデヒド、およびアミン化合物を含むものである；または
前記第２のリンカー分子が、ポリヒドロキシル化ホウ素、リン、ケイ素またはイオウ化合物もしくはそのエステルもしくは塩；およびカルボン酸化合物またはその塩、エステル、酸無水物もしくはハロゲン化物を含むものである、
請求項７に記載の接着剤。
【請求項９】
前記第２の成分、骨格要素（ａ）、第１のリンカー分子または第２のリンカー分子が、ゼイン、ダイズ、ケラチン、グルテン、カゼインもしくはホエイポリペプチドもしくはオリゴペプチド、またはそれらの任意の２種以上の任意の組み合わせである、請求項１〜８のいずれか１項に記載の接着剤。
【請求項１０】
前記ポリフェノールが、タンニンまたはタンニンとリグニンとの混合物を含むものである、請求項１〜９のいずれか１項に記載の接着剤。
【請求項１１】
前記組成物が１種以上のタンパク質変性剤を含むものである、請求項１〜１０のいずれか１項に記載の接着剤。
【請求項１２】
前記組成物が、有機溶媒、界面活性剤、分散剤、粘度調整剤および疎水化剤から成る群から選ばれた１種以上の添加物を含むものである、請求項１〜１１のいずれか１項に記載の接着剤。
【請求項１３】
高分子錯体を含む水性接着剤組成物を製造する方法であって、
（１）第１の成分を含む水性組成物を準備する工程であって、前記第１の成分が、
（ｉ）以下の（ａ）、（ｂ）、（ｃ）から選ばれた骨格要素：
（ａ）ポリペプチド、オリゴペプチド、アミノ酸、ポリアミンまたはそれらの任意の２種以上の任意の組み合わせ、
（ｂ）多糖、オリゴ糖、単糖もしくはそれらの任意の２種以上の任意の組み合わせ；または多糖、オリゴ糖、単糖もしくはそれらの任意の２種以上の任意の組み合わせと第１のリンカー分子とを含む糖複合体、および
（ｃ）リグニン；リグナン；またはリグニンと第２のリンカー分子とを含むリグニン複合体、および
（ｉｉ）タンニン、タンニン酸、フラボノイド、ポリレゾルシノールまたはそれらの任意の２種以上の任意の組み合わせを含む、ポリフェノール、
を含む工程、ならびに
（２）ポリペプチド、オリゴペプチド、アミノ酸、ポリアミンまたはそれらの任意の２種以上の任意の組み合わせを含む第２の成分を添加混合して、前記高分子錯体を形成する工程
を含む、方法。
【請求項１４】
前記工程（１）が、
（ａ）前記骨格要素を含む水性組成物を準備する工程、および
（ｂ）前記ポリフェノールを添加混合して、前記第１の成分を形成する工程
を含む、請求項１３に記載の方法。
【請求項１５】
前記工程（１）（ａ）が、
（ｉ）水性組成物を準備する工程であって、前記水性組成物が（ａ）多糖、オリゴ糖、単糖もしくはそれらの任意の２種以上の任意の組み合わせ、もしくは（ｂ）第１のリンカー分子を含む工程、および
（ｉｉ）前記（ａ）もしくは（ｂ）の他方を添加混合して、糖複合体を形成する工程、または
（ｉ）水性組成物を準備する工程であって、前記水性組成物が（ａ）リグニン、もしくは（ｂ）第２のリンカー分子を含む工程、および
（ｉｉ）前記（ａ）もしくは（ｂ）の他方を添加混合して、リグニン複合体を形成する工程
を含む、請求項１３または１４に記載の方法。
【請求項１６】
前記工程（１）、（１）（ａ）、または（１）（ａ）（ｉ）もしくはそれらの任意の２種以上の任意の組み合わせを準備する工程が、前記第１の成分、前記骨格要素、前記多糖、オリゴ糖、単糖もしくはそれらの任意の２種以上の任意の組み合わせ、前記第１のリンカー分子、前記リグニンまたは前記第２のリンカー分子を水性溶液中に可溶化、溶解、分散または懸濁する工程を含む、請求項１３〜１５のいずれか1項に記載の方法。
【請求項１７】
前記工程（２）、（１）（ｂ）または（１）（ａ）（ｉｉ）もしくはそれらの任意の２種以上の任意の組み合わせの添加混合する工程が、アルカリ性ｐＨまたは高められた温度もしくはその両方で実施される、請求項１６に記載の方法。
【請求項１８】
前記ｐＨが約８〜約１３である、請求項１７に記載の方法。
【請求項１９】
前記温度が約５０〜約９５℃である、請求項１７または１８に記載の方法。
【請求項２０】
前記工程（２）、（１）（ｂ）または（１）（ａ）（ｉｉ）もしくはそれらの任意の２種以上の任意の組み合わせの添加混合工程が、１つ以上の条件を調節して、前記高分子錯体、第１の成分、糖複合体またはリグニン複合体を形成する工程をさらに含む、請求項１３〜１９のいずれか１項に記載の方法。
【請求項２１】
前記１つ以上の条件を調節する工程が、前記ｐＨまたは温度もしくはその両方を下げる工程を含む、請求項２０に記載の方法。
【請求項２２】
前記工程（２）、（１）（ｂ）または（１）（ａ）（ｉｉ）もしくはそれらの任意の２種以上の任意の組み合わせの添加混合工程が、さらなる第２の成分、さらなるポリフェノール、さらなる多糖、オリゴ糖、単糖もしくはそれらの任意の２種以上の任意の組み合わせ、さらなる第１のリンカー分子、さらなるリグニンまたはさらなる第２のリンカー分子を添加混合する工程をさらに含む、請求項１３〜２１のいずれか１項に記載の方法。
【請求項２３】
前記工程（２）、（１）（ｂ）または（１）（ａ）（ｉｉ）もしくはそれらの任意の２種以上の任意の組み合わせの添加混合工程が、反応混合物の凝集を抑制するまたは防止する条件の下で実施される、請求項１３〜２２のいずれか１項に記載の方法。
【請求項２４】
前記第２の成分が、前記第２の成分の可溶化、溶解、分散または懸濁を促進する１種以上の添加物と一緒に添加混合され、または前記添加物を添加混合した後に添加混合される、請求項１３〜２３のいずれか１項に記載の方法。
【請求項２５】
請求項１〜１２のいずれか１項に記載の、硬化されたまたは硬化可能な接着剤組成物を含むものである、リグノセルロース基板。
【請求項２６】
前記基板が、パーティクルボード、配向性ストランドボード、ウエハーボード、ファイバーボード、パラレルストランドランバー、積層ストランドランバー、合板、単板積層材、フィンガー継ぎ材、スクリンバーボード、板紙、ライナーボードまたは他のエンジニアリングウッド製品もしくはエンジニアリングウッド製品ボードである、請求項２５に記載の基板。
【請求項２７】
リグノセルロース複合材料を製造する方法であって、請求項１〜１２のいずれか１項に記載の接着剤組成物をリグノセルロース繊維、粒子、フレーク、ストランド、チップまたはシートに施与する工程、および前記繊維、粒子、フレーク、ストランド、チップまたはシートから複合材料を形成する工程を含む、方法。